(57)【特許請求の範囲】
【請求項１】
水中ポンプ（１）であって：
−支持構造部（２）；
−前記支持構造部（２）に固定されるとともに軸（Ｘ）に沿って延びる第１の出力シャフト（４）が設けられる第１のモータ（３）；
−圧送体（１２）であって、前記支持構造部（２）に固定され、前記第１の出力シャフト（４）が挿入される第１の貫通開口（１４）が設けられ、プロセス流体が該圧送体（１２）に入るときに通ることが可能な吸引口（１６）、及び、前記プロセス流体が該圧送体（１２）から出るときに通ることが可能な送達口（１７）が設けられる、圧送体（１２）；
−前記圧送体（１２）内に配置され、前記第１の出力シャフト（４）に固定され、前記プロセス流体を前記吸引口（１６）から前記送達口（１７）に圧送するために前記軸（Ｘ）の周りで回転するように前記第１の出力シャフト（４）によって駆動可能なインペラ（１５）；
−支持ケーシング（２０）であって、前記圧送体（１２）に固定され、前記軸（Ｘ）の周りに延びるとともに該軸（Ｘ）に沿って前記圧送体（１２）の前記吸引口（１６）に接続される上側端（２２）と下側端（２３）との間に延びる側壁（２１）が設けられ、前記プロセス流体の第１の流れが該支持ケーシング（２０）に入るときに通ることが可能な入口開口（２４）が設けられる、支持ケーシング（２０）；
−前記軸（Ｘ）と位置合わせして前記支持ケーシング（２０）の前記下側端（２３）に配置され、前記支持ケーシング（２０）の前記入口開口（２４）内に前記プロセス流体の第１の流れによって搬送されることが可能な岩屑物質を除去するために駆動可能な分散ヘッド（２５）
を備え、
該水中ポンプ（１）は：
−前記支持ケーシング（２０）内に配置され、前記第１の出力シャフト（４）が挿入されるときに通る第２の貫通開口（２８）が設けられ、前記岩屑物質の第１の塊が通ることが可能な第１の濾過穴（２７）が設けられる第１の濾過要素（２６）であって、そのような第１の塊は前記第１の濾過穴（２７）よりも小さく、そのような第１の濾過要素（２６）は、前記第１の濾過穴（２７）よりも大きい前記岩屑物質の第２の塊を遮断するように適合されている、第１の濾過要素（２６）、
−前記支持ケーシング（２０）内に前記分散ヘッド（２５）と前記第１の濾過要素（２６）との間に配置され、前記第１の出力シャフト（４）に固定され、前記岩屑物質を前記プロセス流体中に懸濁させるとともに前記岩屑物質の前記第２の塊を前記第１の濾過要素（２６）から除去するために、前記軸（Ｘ）の周りで回転するように前記第１の出力シャフト（４）によって駆動可能な撹拌要素（２９）
を更に備えることを特徴とする、水中ポンプ。
【請求項２】
水中ポンプ（１）であって、前記第１の濾過要素（２６）は、前記軸（Ｘ）に対して横断方向に位置決めされるとともに前記支持ケーシング（２０）の前記上側端（２２）と前記下側端（２３）との間に配置される穿孔壁（２６’）を含むことを特徴とする、請求項１に記載の水中ポンプ。
【請求項３】
水中ポンプ（１）であって、前記第１の濾過要素（２６）の前記穿孔壁（２６’）は、前記支持ケーシング（２０）内に、該穿孔壁（２６’）と前記支持ケーシング（２０）の前記下側端（２３）との間に延びる第１の室（３１）を画定し、そのような第１の室（３１）に前記撹拌要素が配置され、第２の室（３２）が前記穿孔壁（２６’）と前記支持ケーシング（２０）の前記上側端（２２）との間に延びることを特徴とする、請求項２に記載の水中ポンプ。
【請求項４】
水中ポンプ（１）であって、前記支持ケーシング（２０）の前記側壁（２１）には、前記第１の室（３１）に配置される第１の横方向穿孔部（３３）が設けられ、該第１の横方向穿孔部（３３）を通して、前記撹拌要素（２９）は、前記第１の濾過要素（２６）によって遮断された前記岩屑物質の前記第２の塊を前記第１の室（３１）から排出することが可能であることを特徴とする、請求項３に記載の水中ポンプ。
【請求項５】
水中ポンプ（１）であって、前記支持ケーシング（２０）の前記側壁（２１）には、前記第２の室（３２）に配置される第２の横方向穿孔部（３４）が設けられ、該第２の横方向穿孔部（３４）を通って、前記プロセス流体の第２の流れが前記第２の室（３２）に入ることが可能であることを特徴とする、請求項３又は４に記載の水中ポンプ。
【請求項６】
水中ポンプ（１）であって、前記支持ケーシング（２０）は、前記撹拌要素（２９）と前記分散ヘッド（２５）との間に配置されるとともに、前記第１の濾過要素（２６）の前記第１の濾過穴（２７）よりも大きいサイズの第２の濾過穴（３６）が設けられる第２の濾過要素（３５）を備えることを特徴とする、請求項１〜５のいずれか一項に記載の水中ポンプ。
【請求項７】
水中ポンプ（１）であって、前記分散ヘッド（２５）は：
−前記支持ケーシング（２０）に固定される支持体（３９）；
−その回転軸（Ｙ）の周りで前記支持体（３９）に回転的に拘束される掘削機オーガ（４１）
を備えることを特徴とする、請求項１〜６のいずれか一項に記載の水中ポンプ。
【請求項８】
水中ポンプ（１）であって、前記掘削機オーガ（４１）は、その前記回転軸（Ｙ）を前記軸（Ｘ）と位置合わせした状態で位置決めされることを特徴とする、請求項７に記載の水中ポンプ。
【請求項９】
水中ポンプ（１）であって、前記分散ヘッド（２５）は、前記支持体（３９）に取り付けられるとともに、前記掘削機オーガ（４１）を前記回転軸（Ｙ）の周りで回転させるために該掘削機オーガ（４１）に機械的に接続される第２のモータ（４０）を備えることを特徴とする、請求項７又は８に記載の水中ポンプ。
【請求項１０】
水中ポンプ（１）であって、前記第２のモータ（４０）は、前記撹拌要素（２９）と前記掘削機オーガ（４１）との間に前記軸（Ｘ）と位置合わせして位置決めされることを特徴とする、請求項９に記載の水中ポンプ。
【請求項１１】
水中ポンプ（１）であって、前記分散ヘッド（２５）の前記掘削機オーガ（４１）には、前記回転軸（Ｙ）の周りに配置されるとともに、内部に前記第２のモータ（４０）が少なくとも部分的に収容されるスペース（６０）の境界を一緒に定める複数のブレード（４３）が設けられることを特徴とする、請求項９又は１０に記載の水中ポンプ。
【請求項１２】
水中ポンプ（１）であって、前記分散ヘッド（２５）の前記掘削機オーガ（４１）には、前記回転軸（Ｙ）と位置合わせされるとともに固定される前記ブレード（４３）を担持する中央ハブ（４２）が設けられ、そのようなブレードは、前記回転軸（Ｙ）の周りに延びて前記支持ケーシング（２０）に向かって曲がり、内部に前記第２のモータ（４０）が少なくとも部分的に収容される前記スペースの境界を一緒に定めることを特徴とする、請求項１１に記載の水中ポンプ。
【請求項１３】
水中ポンプ（１）であって、前記掘削機オーガ（４１）の前記回転軸（Ｙ）は、前記軸（Ｘ）に沿って、前記支持ケーシング（２０）の前記入口開口（２４）及び前記圧送体（１２）の前記吸引口（１６）と位置合わせされることを特徴とする、請求項７〜１２のいずれか一項に記載の水中ポンプ。
【請求項１４】
水中ポンプ（１）であって、前記分散ヘッド（２５）の前記支持体（３９）は前記第２の濾過要素（３５）に固定されることを特徴とする、請求項６を引用する請求項７〜１３のいずれか一項に記載の水中ポンプ。
【請求項１５】
水中ポンプ（１）であって、前記撹拌要素（２９）は前記軸（Ｘ）と同軸に配置される少なくとも１つのオーガを含むことを特徴とする、請求項１〜１４のいずれか一項に記載の水中ポンプ。
【発明の詳細な説明】
【技術分野】
【０００１】
本発明は、独立項のプリアンブルに記載の水中ポンプに関する。
【０００２】
本発明の水中ポンプは、特に高含量の研磨固体が懸濁している液体混合物を含むプロセス流体を処理するのに使用されることが意図される流体力学的ポンプを製造する分野に入る。
【０００３】
有利には、本発明のポンプは、高い比重の物質を含有する混合物を圧送するために港の海底水、川、人工水路、採石場、ダム、井戸、タンク、ボウル等若しくは採掘現場において、又は、廃水、泥、ベントナイト混合物、鋼鉄加工からの堆積物等のような混合物を処理するために工業分野において、浚渫及び掘削作業に使用されることが意図される。
【背景技術】
【０００４】
砂、砂利、石、岩屑等のような物質を含有する堆積物を海底自体から除去するために、（例えば港、川、水路、井戸、水のボウル等の）海底の浚渫を行うための水中ポンプの使用が広がっている。
【０００５】
特に、そのような水中ポンプは、浚渫される海底の堆積物によって構成される固体成分が混合される、水等の液体成分によって構成されるプロセス流体を吸引することによって海底を掘削することを可能にする。
【０００６】
例えば、浚渫船に接続されている上側端と、プロセス流体の入口開口が設けられている下側端との間に延びる筒状の支持体を含む水中ポンプが既知である。
【０００７】
支持体内にはモータが収容され、モータには、支持体自体と同軸なその出力（ｏｕｔｌｅｔ）シャフト、及び、プロセス流体を圧送するためにモータ自体の出力シャフトに固定されるとともに回転するように駆動可能なインペラをその内部に含む、モータの下に配置される圧送室が設けられる。
【０００８】
特に、圧送室には、プロセス流体が浚渫される海底から吸引されるときに通る吸引口、及び、送達口であって、送達口自体に接続されている出口ダクトを通して水面まで搬送されるためにプロセス流体が圧送室から排出されるときに通る送達口が設けられる。
【０００９】
圧送室の吸引口は、吸引管によって支持体の入口開口に接続され、吸引管は、ポンプの水圧を増大させるために、流れ込むプロセス流体の速度を増すように限られた直径を有する。
【００１０】
水中ポンプは、海底の堆積物を除去するために支持体の下側端に固定される分散ヘッドを更に備える。
【００１１】
より詳細には、分散ヘッドは、支持体に固定されるとともに、堆積物に貫入して海底から岩屑を除去するために回転するように駆動されることができる、固定される複数の歯付きブレードを担持する駆動シャフトが設けられる補助的なモータを備える。
【００１２】
ポンプのインペラの駆動は、支持体の入口開口において、岩屑を圧送室内に搬送するために岩屑を吸引管に向かって吸引する、プロセス流体の圧力の低下を発生させる。
【００１３】
支持体の入口開口は、上述した吸引管を詰まらせるようなサイズの岩屑の通過を阻止し、砂及び砂利等のより小さい岩屑が通ることを可能にするように適合されているフィルタ格子によって閉じられる。
【００１４】
既知のタイプの上述したポンプの第１の欠点は、ポンプが、砂又は砂利によって構成される海底においてのみ動作するように適合されており、圧送室の吸引管、及び、砂又は砂利よりも大きい岩屑を阻止するフィルタ格子の限られた直径に起因して、比較的大きいサイズ（例えば数センチメートル）の岩屑も含む海底においては効率的に動作することが可能ではないことからなる。
【００１５】
更なる欠点は、フィルタ格子によって阻止される岩屑がフィルタ格子に堆積し、フィルタ格子を詰まらせることに起因する。
【００１６】
既知のタイプの上述したポンプの更なる欠点は、岩屑の吸引が、プロセス流体において発生する圧力のみによって生じ、これは、最も重い岩屑を持ち上げることが可能ではないことに起因する。特に、岩屑は吸引管内に堆積する傾向にあり、吸引管を詰まらせる。
【００１７】
既知のタイプの水中ポンプの更なる例が、特許文献１に記載されている。より詳細には、そのようなポンプは、底部プレートによってその下側端が閉じられる筒状形状の側壁が設けられる支持体、及び、圧送室に接続されるその上側開口と、支持体の底部プレートの一方の側において得られるその下側開口との間に延びる吸引管を備える。
【００１８】
このポンプは、支持体の下側端に固定されるとともに、回転シャフトに接続される分散ヘッドを更に備え、回転シャフトは、支持体の軸に対して傾斜して配置され、支持体の底部プレート及び側壁に作られる対応する開口を通って延びる。そのような回転シャフトは、支持体の外側に配置されるとともにその側壁に固定されるモータによって駆動される。
【００１９】
特許文献１に記載されている既知のタイプのこの水中ポンプは、吸引管における岩屑の堆積の問題を全て解決するわけではない。
【００２０】
特許文献２は、圧送体を備える既知のタイプの更なる水中ポンプを記載しており、圧送体は、プロセス流体を圧送体自体の入口から出口に吸引するために駆動可能なインペラをその内部に収容する。より詳細には、インペラは、圧送室内を通るとともにその下側端が圧送室の下に突出する回転シャフトに同軸に固定され、回転シャフトには、海底の砂及び砂利を撹拌するために回転シャフトによって駆動可能なオーガが固定される。
【００２１】
特許文献２に記載されている既知のタイプの水中ポンプの主な欠点は、水中ポンプが、砂又は砂利によって構成される海底の浚渫を行うように適合されているが、岩石の多い海底又は大きいサイズの岩屑によって形成される海底では動作可能ではないことに起因する。
【先行技術文献】
【特許文献】
【００２２】
【特許文献１】米国特許第４，４０３，４２８号
【特許文献２】欧州特許第０２０９６３５号
【発明の概要】
【発明が解決しようとする課題】
【００２３】
この状況において、本発明の本質的な目的は、動作が全体的に効率的であり、特に、比較的大きいサイズの岩屑を含む海底において浚渫作業を行うことが可能な水中ポンプを提供することによって、既知のタイプの解決策が示す欠点を克服することである。
【００２４】
本発明の更なる目的は、特に浚渫作業の頻繁な中断を必要としない、動作が全体的に確実な水中ポンプを提供することである。
【００２５】
本発明の更なる目的は、構造的に単純で達成するのに安価な水中ポンプを提供することである。
【００２６】
本発明の更なる目的は、メンテナンスが容易で安価である水中ポンプを提供することである。
【００２７】
上述した目的による本発明の技術的な特徴は、以下で記載される特許請求の範囲の内容においてはっきりと分かり、その利点は、本発明の単に例示的で非限定的な実施形態を表す、添付の図面を参照してなされる以下の詳細な説明からより明らかとなるであろう。
【図面の簡単な説明】
【００２８】
【図１】本発明の主題である水中ポンプの斜視図である。
【図２】図１に示されている水中ポンプの側面図である。
【図３】図１に示されている水中ポンプの上面図である。
【図４】図３に示されている水中ポンプの、同じ図３の線ＩＶ−ＩＶに沿う断面図である。
【図５】図２に示されている水中ポンプの、同じ図２の線Ｖ−Ｖに沿う更なる断面図である。
【発明を実施するための形態】
【００２９】
添付の図面を参照すると、本発明の主題である水中ポンプを、全体的に参照符号１によって示した。
【００３０】
有利には、本発明の水中ポンプ１は、海底水における浚渫及び掘削作業を行うために使用されることが意図される。
【００３１】
特に、水中ポンプ１は浚渫船に取り付けられることが意図され、浚渫船には例えば、取り付けられる水中ポンプ１を担持するとともに、水中ポンプ１を浚渫される海底まで移動させるように下ろされるように駆動可能な関節アームが設けられている。
【００３２】
添付の図面に示されている実施形態によると、本発明の水中ポンプ１は、浚渫船の関節アームに固定されることが意図される支持構造部２、及び、支持構造部２自体に取り付けられるとともに、水中ポンプ１の通常の動作状態において実質的に鉛直に配置される、その軸Ｘに沿って延びる第１の出力シャフト４が設けられる、第１のモータ３、好ましくは油圧モータを備える。
【００３３】
有利には、支持構造部２には、第１の出力シャフト４が貫通するように挿入される通路開口５が設けられ、第１の出力シャフト４は、（添付の図面には示されていない）複数のスラスト軸受によって支持構造部２自体に回転的に拘束される。
【００３４】
好ましくは、本発明の水中ポンプ１は、支持構造部２の通路開口５に配置され、第１のモータ３の第１の出力シャフト４の周りに取り付けられ、水中ポンプ１によって処理されるプロセス流体の浸入を防止するように適合されている、例えば複数のオイルシールを含む複数のシール要素（図示せず）を備える。
【００３５】
添付の図面に示されている特定の実施形態を参照すると、水中ポンプ１の支持構造部２は、第１のモータ３が固定される上側ベース７、及び、上側ベース７とは反対方向に方向付けられる下側ベース８が設けられる金属体６を備える。金属体６には好ましくは、浚渫船の関節アームに固定されることが意図される接続ブラケット９が設けられる。
【００３６】
支持構造部２は格納タンク１０も備え、格納タンク１０は、金属体６の下側ベース８に固定され、第１のモータ３の第１の出力シャフト４の周りに同軸に配置される。
【００３７】
格納タンク１０は、第１のモータ３の第１の出力シャフト４の周りに配置される上述したシール要素の潤滑流体（例えば油）を収容するように適合されている油室１１をその内部に画定する。
【００３８】
本発明によると、水中ポンプ１は、支持構造部２に、特に格納タンク１０の下に固定される内部が中空の、好ましくは螺旋形状の圧送体１２を備える。
【００３９】
圧送体１２には第１の貫通開口１４が設けられており、第１の貫通開口１４の内部には第１のモータ３の第１の出力シャフト４が挿入される。
【００４０】
水中ポンプ１は、圧送体１２内に配置されるとともに、好ましくは嵌め合いによって第１のモータ３の第１の出力シャフト４に固定される、好ましくは遠心式のインペラ１５も備える。
【００４１】
圧送体１２には、下側部分に、プロセス流体が圧送体１２内に入るときに通る吸引口１６であって、プロセス流体は圧送体１２内で回転インペラ１５によって賦活される、吸引口１６、及び、送達口１７であって、プロセス流体が、送達口１７自体に接続される好ましくは出口ダクト（図示せず）を通って浚渫船に向かって搬送されるために圧送体１２によって圧力下で排出されるときに通る、送達口１７が設けられる。
【００４２】
有利には、水中ポンプ１の圧送体１２は、上側部分に、格納タンク１０に固定される第１の閉鎖壁１８が設けられ、第１の閉鎖壁１８において、第１のモータ３の第１の出力シャフト４が挿入される上述した第１の貫通開口１４が得られる。
【００４３】
圧送体１２には、下側部分に、吸引口１６が得られる第２の閉鎖壁１９が設けられる。
【００４４】
有利には、圧送体１２の吸引口１６は、軸Ｘに沿って第１の貫通開口１４と位置合わせして配置され、第１のモータ３の第１の出力シャフト４が貫通するように交差する。
【００４５】
本発明によると、水中ポンプ１は、第１の出力シャフト４の軸Ｘの周りに延びる側壁２１が設けられる、圧送体１２に固定される支持ケーシング２０を備える。
【００４６】
支持ケーシング２０は、圧送体１２の吸引口１６に接続されるその上側端２２と、入口開口２４が設けられるその下側端２３との間に軸Ｘに沿って延び、入口開口２４を通して、岩屑物質を含有するプロセス流体の流れが、以下で詳細に説明するように入れることが可能である。
【００４７】
水中ポンプ１は、軸Ｘと位置合わせされて支持ケーシング２０の下側端２３に配置されるとともに、岩屑物質を海底から除去し、そのような岩屑物質を支持ケーシング２０自体の入口開口２４に向かって搬送するために駆動可能な分散ヘッド２５を更に備える。
【００４８】
動作時に、第１のモータ３は、その第１の出力シャフト４を回転させるために駆動され、これによってさらに、プロセス流体を圧送体１２の吸引口１６から送達口１７に向かって圧送するためにインペラ１５が回転する。
【００４９】
特に、回転駆動されるインペラ１５は、分散ヘッド２５によって除去された岩屑物質を圧送体１２に向かって搬送する、支持ケーシング２０にその入口開口２４を通って入るプロセス流体の第１の流れを生じさせる。
【００５０】
水中ポンプ１の通常の動作状態では、プロセス流体は、（例えば水によって構成される）液体成分を含み、液体成分に、海底（例えば岩、石、砂利、砂等によって構成される）から除去された岩屑物質の固体の塊（ｂｏｄｙ）が混合される。
【００５１】
図４に示されている実施形態を参照すると、第１のモータ３の第１の出力シャフト４は、その軸Ｘに沿って、支持構造部２の通路開口５、第１の貫通開口１４及び圧送体１２の吸引口１６を通って、その下側末端部４’が支持ケーシング２０内に入るまで延びる。
【００５２】
本発明の基礎をなす着想によると、水中ポンプ１は、支持ケーシング２０内に配置され、プロセス流体の第１の流れによって搬送されるとともに圧送体１２及びインペラ１５を詰まらせることが可能であるようなサイズを有する岩屑物質の塊を阻止するように適合されている第１の濾過要素２６を備える。
【００５３】
より詳細には、第１の濾過要素２６には、岩屑物質の第１の塊が通ることが可能な複数の第１の濾過穴２７が設けられ、そのような第１の塊はそのような第１の濾過穴２７よりも小さい。第１の濾過要素２６は、第１の濾過穴２７よりも大きい岩屑物質の第２の塊を遮断するように適合されており、第２の塊が圧送体１２に達して詰まらせることを防止するためにそのような第２の塊を阻止する。
【００５４】
例えば、第１の濾過要素２６の第１の濾過穴２７は、約６０ｍｍの直径を有する実質的に円形の形状を有する。
【００５５】
第１の濾過要素２６には、軸Ｘと位置合わせされるとともに、第１のモータ３の第１の出力シャフト４が挿入されるときに通る第２の貫通開口２８が設けられる。
【００５６】
本発明によると、水中ポンプ１は、支持ケーシング２０内に配置されるとともに分散ヘッド２５と第１の濾過要素２６との間に位置決めされる撹拌要素２９を更に備える。そのような撹拌要素２９は、第１の出力シャフト４に固定され、岩屑物質をプロセス流体に懸濁させる（したがって岩屑物質の第１の塊を圧送体１２に向かって吸引することを容易にする）ため、及び、岩屑物質の第２の塊を第１の濾過要素２６から除去する（第１の濾過要素２６の詰まりを防止する）ために、軸Ｘの周りで回転するように第１の出力シャフト４によって駆動可能である。
【００５７】
有利には、撹拌要素２９は、軸Ｘと同軸に配置されるとともに、好ましくは第１のモータ３の第１の出力シャフト４の下側端部４’に、特に撹拌要素２９の中央の穴に挿入されて第１の出力シャフト４のねじ穴に螺合される保持ねじによって固定されるオーガを含む。
【００５８】
有利には、撹拌要素２９のオーガは、プロセス流体において、圧送体１２に向かって吸引されるプロセス流体の第１の流れの方向とは反対の軸方向に螺旋状の動きを与え、岩屑物質の固体の第２の塊を第１の濾過要素２６から除去することを容易にし、その改善された清浄を確実にするために、配置される。
【００５９】
添付の図面に示されている特定の実施形態によると、支持ケーシング２０の側壁２１は、実質的に筒状の形態、好ましくは円筒形を有し、その内部において、第１の濾過要素２６及び撹拌要素２９が配置されるスペースの境界を定める。
【００６０】
有利には、支持ケーシング２０の上側端２２は、圧送体１２の吸引口１６の周りに同心円状に位置決めされ、好ましくはボルト締めによって圧送体１２自体の第２の閉鎖壁１９に固定される。
【００６１】
有利には、水中ポンプ１の第１の濾過要素２６は、支持ケーシング２０の内部スペースを部分的に閉じるように軸Ｘに対して横断方向に配置されるとともにケーシング２０自体の上側端２２と下側端２３との間に位置決めされる穿孔壁２６’を備える。特に、穿孔壁２６’には、支持ケーシング２０の下側端２３に向かって方向付けられる正面が設けられ、正面では、岩屑物質の固体の第２の塊が止められることが可能であり、そのような塊は第１の濾過要素２６の第１の濾過穴２７よりも大きい。
【００６２】
有利には、第１の濾過要素２６の穿孔壁２６’は、支持ケーシング２０の内部スペースを、（プロセス流体の第１の流れの前進方向に沿って）穿孔壁２６’の上流に配置される第１の室３１、及び、穿孔壁２６’の下流に配置されるとともに圧送体１２の吸引口１６と連通する第２の室３２に分割する。
【００６３】
特に、撹拌要素２９が配置される第１の室３１は、穿孔壁２６’と支持ケーシング２０の下側端２３との間に延び、第２の室３２は、穿孔壁２６’と支持ケーシング２０自体の上側端２２との間に延びる。
【００６４】
有利には、支持ケーシング２０の側壁２１には、第１の室３１に配置される第１の横方向穿孔部３３が設けられ、第１の横方向穿孔部３３を通して、撹拌要素２９は、第１の室３１自体から、第１の濾過要素２６によって遮断された岩屑物質の第２の塊を排出させることが可能である。
【００６５】
好ましくは、第１の横方向穿孔部３３は、第１の濾過要素２６と支持ケーシング２０の下側端２３との間に位置決めされ、第１のモータ３の第１の出力シャフト４の軸Ｘの周りにリングとして特に位置合わせして配置される。
【００６６】
有利には、第１の横方向穿孔部３３は、（第１の濾過要素２６によって遮断された）岩屑物質の第２の塊を、支持ケーシング２０の第１の室３１から出すためにそのような第１の横方向穿孔部３３に通すことが可能であるように、第１の濾過要素２６の第１の濾過穴２７よりも大きいサイズを有する。
【００６７】
好都合には、支持ケーシング２０の側壁２１には、第２の室３２に配置される第２の横方向穿孔部３４が設けられており、第２の横方向穿孔部３４を通して、プロセス流体の第２の流れが第２の室３２自体に入ることが可能であり、岩屑物質を取り込むとともに、圧送体１２における岩屑物質自体の吸引を容易にするために、プロセス流体における岩屑物質の実質的に均一な懸濁液を形成するように、岩屑物質をプロセス流体と更に混合させる。
【００６８】
好ましくは、支持ケーシング２０の第２の横方向穿孔部３４は、圧送体１２を詰まらせる可能性がある岩屑物質の固体の塊が第２の室３２に入ることを防止するために、第１の濾過要素２６の第１の濾過穴２７のサイズよりも小さいか又は実質的に等しいサイズを有する。
【００６９】
有利には、支持ケーシング２０は、撹拌要素２９と分散ヘッド２５との間に配置され、第１の濾過要素２６の第１の濾過穴２７よりも大きいサイズの第２の濾過穴３６が設けられ、支持ケーシング２０の内部スペースを詰まらせるとともに撹拌要素２９の回転を妨げるようなサイズを有する岩屑物質の塊を遮断するように適合されている第２の濾過要素３５を備える。
【００７０】
図５に示されている実施形態によると、第２の濾過要素３５は、支持ケーシング２０の側壁２１に固定され、（軸Ｘと位置合わせされる）中央部分３７が設けられる穿孔プレート３５’を含み、中央部分３７からは複数のスポーク３８（例えば３つ）が径方向に延び、これらは一緒に上述した第２の濾過穴３６の境界を定める。
【００７１】
有利には、水中ポンプ１の分散ヘッド２５は、支持ケーシング２０に固定される支持体３９、及び、第１のモータ３の第１の出力シャフト４の軸Ｘと好ましくは位置合わせされるその回転軸Ｙの周りを回転するように支持体３９に回転的に拘束される掘削機オーガ４１を備える。
【００７２】
有利には、分散ヘッド２５は第２のモータ４０も備え、第２のモータ４０は、支持体３９に取り付けられ、海底から浚渫される岩屑物質を除去するために回転軸Ｙの周りで掘削機オーガ４１を回転させるように掘削機オーガ４１に機械的に接続される。
【００７３】
好ましくは、分散ヘッド２５の第２のモータ４０は軸Ｘと位置合わせして位置決めされ、撹拌要素２９と掘削機オーガ４１との間、特に第２の濾過要素３５と掘削機オーガ４１との間に配置される。
【００７４】
添付の図面に示されている実施形態によると、分散ヘッド２５の掘削機オーガ４１には、オーガ４１自体の回転軸Ｙの周りに配置されるとともに、分散ヘッド２５自体の第２のモータ４０が内部に少なくとも部分的に収容されるスペース６０の境界を一緒に定める複数のブレード４３が設けられている。
【００７５】
より詳細には、有利には、掘削機オーガ４１には、回転軸Ｙと位置合わせされるとともに固定されるブレード４３を担持する中央ハブ４２が設けられ、ブレード４３は回転軸Ｙ自体の周りに延び、対応する横方向スリット４４によって互いに隔てられる。
【００７６】
掘削機オーガ４１のブレード４３は、支持ケーシング２０に向かって後方に曲がり、掘削機オーガ４１自体の実質的にカップ状の形状を、掘削機オーガ４１内に、第２のモータ４０が収容される上述したスペース６０の境界を定めるように画定する。
【００７７】
特に、掘削機オーガ４１のブレード４３は、中央ハブ４２に固定される前端と、支持ケーシング２０の下側端２３の周りに配置されるベースリング４７に固定される後端との間にそれぞれ延びる。
【００７８】
有利には、各ブレード４３には複数の突出歯４８が設けられ、突出歯４８は、掘削機オーガ４１の回転中に、海底自体を構成する物質を除去及び破砕するために海底に貫入するように適合されている。
【００７９】
有利には、掘削機オーガ４１の各ブレード４３は、歯４８が突出して延びる外側の長手方向縁４９及び内側の長手方向縁５０を含む、２つの長手方向縁４９、５０が設けられる形状付きのプレートを含む。
【００８０】
各ブレード４３は、回転軸Ｙに対して傾斜して配置され、外側の長手方向縁４９は、内側の長手方向縁５０よりも回転軸Ｙから離れている。掘削機オーガ４１のブレード４３のそのような傾斜によって、その回転中に、歯４８によって除去された岩屑物質を、オーガ４１自体のブレード４３間に得られる横方向スリット４４を通して掘削機オーガ４１の内部に向かって搬送するプロセス流体の動きを生じる。
【００８１】
有利には、分散ヘッド２５の掘削機オーガ４１の回転軸Ｙは、軸Ｘに沿って、支持ケーシング２０の入口開口２４、及び、圧送体１２の吸引口１６と位置合わせされる。このように、特に、掘削機オーガ４１は、その回転後に、岩屑物質を支持ケーシング２０の内部に搬送し、岩屑物質を軸Ｘの周りで均一に分布させるように適合されている。これによって、支持ケーシング２０内の岩屑物質のより均一な分散が決まり、したがって、特に岩屑物質自体の堆積を形成することなく、圧送体１２の吸引口１６における岩屑物質の吸引が容易になる。
【００８２】
有利には、分散ヘッド２５の支持体３９は、支持ケーシング２０の第２の濾過要素３５に固定される。
【００８３】
より詳細には、分散ヘッド２５の支持体３９は、好ましくはボルト締めによって、特に支持ケーシング２０の入口開口２４を通って延びる第２の濾過要素３５の穿孔プレート３５’の中央部分３７に固定される。
【００８４】
好ましくは、支持体３９は、回転軸Ｙに平行な軸を有する実質的に筒状の形状を有し、分散ヘッド２５の第２のモータ４０をその内部に少なくとも部分的に収容する。
【００８５】
第２のモータ４０は好ましくは油圧式であり、支持体３９に得られる第１の穴及び支持ケーシング２０に得られる第２の穴を通る供給ダクト５１によって油圧油が供給される。
【００８６】
好ましくは、第２のモータ４０には、ギアモータ５４によって掘削機オーガ４１に接続される第２の出力シャフト（図示せず）が設けられる。
【００８７】
作業時に、水中ポンプ１は、例えば浚渫船の関節アームの移動によって、浚渫される海底に運ばれる。
【００８８】
第１のモータ３及び第２のモータ４０は、（第１の出力シャフト４によって）インペラ１５及び撹拌要素２９を、並びに、（第２の出力シャフト、好ましくはギアモータ５４によって）分散ヘッド２５の掘削機オーガ４１をそれぞれ回転させるために駆動される。
【００８９】
特に、分散ヘッド２５の掘削機オーガ４１は、１分あたり約２０〜３０回転の速度で第１のモータ３によって回転するように駆動される。好ましくは、インペラ１５は、１分あたり約６００〜９００回転の速度で第２のモータ４０によって回転するように駆動される。
【００９０】
分散ヘッド２５の掘削機オーガ４１の回転に続いて、ブレード４３の歯４８は、岩屑物質を破砕するとともに除去してプロセス流体と混合させるために海底に貫入する。
【００９１】
有利には、特に上述したブレード４３の傾斜を通じた掘削機オーガ４１の回転は、岩屑物質を掘削機オーガ４１の回転軸Ｙに向かって、及び支持ケーシング２０の入口開口２４に向かって搬送する。
【００９２】
第１のモータ３によって回転駆動される水中ポンプ１のインペラ１５は、支持ケーシング２０にその入口開口２４を通って入り、第２の濾過要素３５及び第１の濾過要素２６を通り、圧送体１２内にその吸引口１６を通って入り、インペラ１５によって賦活された後で圧送体１２によって送達口１７を通して排出される、プロセス流体の第１の流れを決める。
【００９３】
プロセス流体の上述した第１の流れは、内部で混合される岩屑物質を、入口開口２４を通して支持ケーシング２０の内部に搬送する。
【００９４】
第２の濾過要素３５は、撹拌要素２９の回転を妨げ得る岩屑物質のより大きい塊を遮断する。プロセス流体の第１の流れによって駆動される、岩屑物質の残りの部分は、第２の濾過要素３５の第２の濾過穴３６を通り、支持ケーシング２０の第１の室３１に入る。
【００９５】
その後、第１の濾過要素２６は、第１の濾過要素２６の第１の濾過穴２７のサイズよりも大きいサイズを有する岩屑物質の第２の塊を、そのような第２の塊が圧送体１２を詰まらせることを防止するために遮断する。
【００９６】
インペラ１５と同じ速度で第１の出力シャフト４によって回転される撹拌要素２９は、支持ケーシング２０の第１の室３１内に乱流を発生させ、これは懸濁した岩屑物質をプロセス流体中に運び、圧送体１２内に容易に吸引することができる実質的に均一な混合物を生じる。
【００９７】
加えて、撹拌要素２９によって発生される乱流は、第１の濾過要素２６から、第１の濾過要素２６自体によって遮断された岩屑物質の固体の第２の塊を除去し、したがって、第１の濾過要素２６の穿孔壁２６’の正面において、第１の濾過要素２６自体を詰まらせ得る岩屑が蓄積されないことを確実にする。
【００９８】
特に、撹拌要素２９は、第１の濾過要素２６に蓄積している岩屑物質の第２の塊を軸Ｘから離れるように径方向に押し、そのような第２の塊を、支持ケーシング２０の側壁２１に得られる第１の横方向穿孔部３３を通してケーシング２０自体の第１の室３１の外に排出する。
【００９９】
第１の濾過要素２６の第１の濾過穴２７を通る岩屑物質の第１の塊は、支持ケーシング２０の第２の室３２に入り、支持ケーシング２０自体の第２の横方向穿孔部３４を通って第２の室３２に入るプロセス流体の第２の流れによって取り込まれる。
【０１００】
このように、そのような第２の流れは、圧送体１２における岩屑物質自体の吸引を容易にするために、プロセス流体中の岩屑物質の均一な懸濁の形成を容易にするように、プロセス流体において岩屑物質を更に混合させる。
【０１０１】
岩屑物質が混合されているプロセス流体が圧送体１２内に入ると、流体は、送達口１７自体に接続されている出口ダクトを通して浚渫船上に搬送されるために、回転するインペラ１５によって賦活され、圧送体１２によって送達口１７を通して岩屑物質と一緒に排出される。
【０１０２】
このように着想される本発明はしたがって、予め確立された目的を達成する。
【図１】
0006590143.tif 000002
【図２】
0006590143.tif 000003
【図３】
0006590143.tif 000004
【図４】
0006590143.tif 000005
【図５】
0006590143.tif 000006